(57)【特許請求の範囲】
【請求項１】
絶縁性を有するボディと、
端子群とを備えており、
前記端子群は、前記ボディに第１方向に一列で配列された略Ｌ字状の一対の第１信号端子、第２信号端子及び第３端子を備えており、
前記一対の第１信号端子は、前記第１方向において互いに隣り合っており、
前記第１信号端子は、前記第１方向に直交する第２方向に延びた第１部と、
前記第１方向及び前記第２方向に直交する第３方向に延びた第２部とを有しており、
前記第２信号端子は、前記第２方向に延びた第１部と、
前記第３方向に延びた第２部とを有しており、
前記第３端子は前記一対の第１信号端子のうち一方の第１信号端子と前記第２信号端子との間に配置されており、
前記第３端子は、前記第２方向に延びた第１部と、
前記第３方向に延びた第２部と、
前記第３端子の前記第２部に設けられた遮蔽部とを有しており、
前記遮蔽部は、前記第１方向及び前記第３方向に交差する方向に延び、前記第１信号端子又は前記第２信号端子から前記第１方向に対して角度をもって放射される電磁波を遮蔽する構成であるコネクタ。
【請求項２】
絶縁性を有するボディと、
端子群とを備えており、
前記端子群は、前記ボディに第１方向に一列で配列された略Ｌ字状の一対の第１信号端子、第２信号端子及び第３端子を備えており、
前記一対の第１信号端子は、前記第１方向において互いに隣り合っており、
前記第１信号端子は、前記第１方向に直交する第２方向に延びた第１部と、
前記第１方向及び前記第２方向に直交する第３方向に延びた第２部とを有しており、
前記第２信号端子は、前記第２方向に延びた第１部と、
前記第３方向に延びた第２部とを有しており、
前記第３端子は前記一対の第１信号端子のうち一方の第１信号端子と前記第２信号端子との間に配置されており、
前記第３端子は、前記第２方向に延びた第１部と、
前記第３方向に延びた第２部と、
前記第３端子の前記第１部に設けられた遮蔽部とを有しており、
前記遮蔽部は、前記第１方向及び前記第２方向に交差する方向に延び、前記第１信号端子又は前記第２信号端子から前記第１方向に対して角度をもって放射される電磁波を遮蔽する構成であるコネクタ。
【請求項３】
請求項１又は２記載のコネクタにおいて、
前記端子群は、前記第１方向において互いに隣り合う一対の前記第２信号端子を有しており、
前記第３端子は、前記一方の第１信号端子と前記一対の第２信号端子のうちの一方の第２信号端子との間に配置されているコネクタ。
【請求項４】
絶縁性を有するボディと、
端子群とを備えており、
前記端子群は、前記ボディに第１方向に一列で配列された一対の第１信号端子、第２信号端子及び第３端子を備えており、
前記一対の第１信号端子は、前記第１方向において互いに隣り合っており、
前記第３端子は前記一対の第１信号端子のうち一方の第１信号端子と前記第２信号端子との間に配置されており、前記第３端子は、前記第１方向に交差する方向に延びた遮蔽部を有しており、
前記遮蔽部は、前記第３端子の一部が切り起こされた切り起こし片であるコネクタ。
【請求項５】
絶縁性を有するボディと、
端子群とを備えており、
前記端子群は、前記ボディに第１方向に一列で配列された一対の第１信号端子、第２信号端子及び第３端子を備えており、
前記一対の第１信号端子は、前記第１方向において互いに隣り合っており、
前記第３端子は前記一対の第１信号端子のうち一方の第１信号端子と前記第２信号端子との間に配置されており、前記第３端子は、前記第１方向に交差する方向に延びた遮蔽部を有しており、
前記遮蔽部は、前記第３端子の一部に連設され且つ当該第３端子の一部に対して折り曲げられた折り曲げ片であるコネクタ。
【請求項６】
請求項４又は５記載のコネクタにおいて、
前記第３端子は、前記第３端子の一部であり且つ前記第１方向に延びた拡張部と、
前記拡張部以外の他の部分とを有しており、
前記拡張部の前記第１方向の寸法は、前記他の部分の前記第１方向の寸法よりも大きいコネクタ。
【請求項７】
請求項４〜６の何れかに記載のコネクタにおいて、
前記第３端子の一部の中心線と当該第３端子の一部に隣り合う前記第１、第２信号端子の一部の中心線との間の前記第１方向の距離をβ、
前記第１信号端子の一部の中心線間の前記第１方向の距離をαとしたとき、
β＞αであるコネクタ。
【請求項８】
請求項４〜７の何れかに記載のコネクタにおいて、
前記第１信号端子の前記第３端子の一部の周囲の部分が前記第１方向の一方側に、前記第２信号端子の前記第３端子の一部の周囲の部分が前記第１方向の他方側に湾曲しているコネクタ。
【請求項９】
請求項４〜８の何れかに記載のコネクタにおいて、
前記第１、第２信号端子は、前記第１方向に直交する第２方向に延びており且つ前記ボディに保持された保持部と、
前記保持部の前記第２方向の第１端から前記第２方向に延びた接触部と、
前記保持部の前記第２方向の第２端から前記第１、第２方向に直交する第３方向に延びた垂下部とを有しており、
前記第３端子は、前記第２方向に延びており且つ前記ボディに保持された保持部と、
前記保持部の前記第２方向の第１端から前記第２方向に延びた接触部と、
前記保持部の前記第２方向の第２端から前記第３方向に延びた垂下部とを更に有しており、
前記第３端子の保持部及び垂下部の少なくとも一方が前記第３端子の一部を有しているコネクタ。
【請求項１０】
請求項１〜３の何れかに記載のコネクタにおいて、
前記第１、第２信号端子の前記第１部は、前記第２方向に延びており且つ前記ボディに保持された保持部と、
前記保持部の前記第２方向の第１端から前記第２方向に延びた接触部とを有しており、
前記第１、第２信号端子の前記第２部は、前記保持部の前記第２方向の第２端から前記第３方向に延びた垂下部を有しており、
前記第３端子の前記第１部は、前記第２方向に延びており且つ前記ボディに保持された保持部と、
前記保持部の前記第２方向の第１端から前記第２方向に延びた接触部とを有しており、
前記第３端子の前記第２部は、前記保持部の前記第２方向の第２端から前記第３方向に延びた垂下部を有しており、
前記第１信号端子の垂下部間の前記第１方向の距離をγ１、前記第１信号端子の保持部間の前記第１方向の距離をγ２、
前記第３端子の垂下部と当該第３端子に隣り合う前記第１、第２信号端子の垂下部との間の前記第１方向の距離をδ１、前記第３端子の保持部と当該第３端子に隣り合う前記第１、第２信号端子の保持部との間の前記第１方向の距離をδ２としたとき、
δ１＞γ１及びδ２＞γ２の少なくとも一方であるコネクタ。
【請求項１１】
請求項４〜６の何れかに記載のコネクタにおいて、
前記第１、第２信号端子は、前記第１方向に直交する第２方向に延びており且つ前記ボディに保持された保持部と、
前記保持部の前記第２方向の第１端から前記第２方向に延びた接触部と、
前記保持部の前記第２方向の第２端から前記第１、第２方向に直交する第３方向に延びた垂下部とを有しており、
前記第３端子は、前記第２方向に延びており且つ前記ボディに保持された保持部と、
前記保持部の前記第２方向の第１端から前記第２方向に延びた接触部と、
前記保持部の前記第２方向の第２端から前記第３方向に延びた垂下部とを更に有しており、
前記第１信号端子の垂下部間の前記第１方向の距離をγ１、前記第１信号端子の保持部間の前記第１方向の距離をγ２、
前記第３端子の垂下部と当該第３端子に隣り合う前記第１、第２信号端子の垂下部との間の前記第１方向の距離をδ１、前記第３端子の保持部と当該第３端子に隣り合う前記第１、第２信号端子の保持部との間の前記第１方向の距離をδ２としたとき、
δ１＞γ１及びδ２＞γ２の少なくとも一方であるコネクタ。
【発明の詳細な説明】
【技術分野】
【０００１】
本発明は、コネクタに関する。
【背景技術】
【０００２】
この種のコネクタとしては、一列に配列された端子群を備えている。端子群は、複数ペアの一対の差動信号端子と、複数のグランド端子とを有している。前記コネクタは、差動信号端子のペア間にグランド端子を配置することにより、差動信号端子のペア間のクロストークの防止を図っている（特許文献１参照）。
【先行技術文献】
【特許文献】
【０００３】
【特許文献１】特開２０１０−２８７５６０号公報
【発明の概要】
【発明が解決しようとする課題】
【０００４】
ところが、差動信号端子から端子群の配列方向に対して角度をもって放射される電磁波（電磁界エネルギー）の一部が、グランド端子を飛び越えて当該グランド端子に隣接する差動信号端子に干渉し、これによりグランド端子を挟んで隣り合う差動信号端子間でクロストークが発生することがあった。
【０００５】
本発明は、上記事情に鑑みて創案されたものであって、その目的とするところは、信号端子間のクロストークの低減を図ることができるコネクタを提供することにある。
【課題を解決するための手段】
【０００６】
上記課題を解決するために、本発明のコネクタは、絶縁性を有するボディと、端子群とを備えている。前記端子群は、前記ボディに第１方向に一列で配列された一対の第１信号端子、第２信号端子及び第３端子を備えている。前記一対の第１信号端子は、前記第１方向において互いに隣り合っている。前記第１信号端子は、前記第１方向に直交する第２方向に延びた第１部と、前記第１方向及び前記第２方向に直交する第３方向に延びた第２部とを有している。前記第２信号端子は、前記第２方向に延びた第１部と、前記第３方向に延びた第２部とを有している。前記第３端子は前記一対の第１信号端子のうち一方の第１信号端子と前記第２信号端子との間に配置されている。前記第３端子は、前記第２方向に延びた第１部と、前記第３方向に延びた第２部と、前記第３端子の前記第２部又は前記第１部に設けられた遮蔽部とを有している。前記第２部の遮蔽部は、前記第１方向及び前記第３方向に交差する方向に延び、前記第１信号端子又は前記第２信号端子から前記第１方向に対して角度をもって放射される電磁波を遮蔽する構成である。前記第１部の遮蔽部は、前記第１方向及び前記第２方向に交差する方向に延び、前記第１信号端子又は前記第２信号端子から前記第１方向に対して角度をもって放射される電磁波を遮蔽する構成である。
【０００７】
このような発明の態様による場合、第３端子の遮蔽部が端子群の配列方向である第１方向に交差する方向に延びている。この遮蔽部により、第１信号端子又は第２信号端子から第１方向に対して角度をもって放射される電磁波（電磁界エネルギー）を遮蔽することができる。よって、第３端子を挟んで隣り合う第１、第２信号端子間のクロストークの低減を図ることができる。
【０００８】
前記端子群は、前記第１方向において互いに隣り合う一対の前記第２信号端子を有する構成とすることが可能である。この場合、前記第３端子は、前記一方の第１信号端子と前記一対の第２信号端子のうちの一方の第２信号端子との間に配置されている。
【０００９】
本発明の別のコネクタは、絶縁性を有するボディと、端子群とを備えている。前記端子群は、前記ボディに第１方向に一列で配列された一対の第１信号端子、第２信号端子及び第３端子を備えている。前記一対の第１信号端子は、前記第１方向において互いに隣り合っている。前記第３端子は前記一対の第１信号端子のうち一方の第１信号端子と前記第２信号端子との間に配置されている。前記第３端子は、前記第１方向に交差する方向に延びた遮蔽部を有している。前記遮蔽部は、前記第３端子の一部が切り起こされた切り起こし片とすることが可能である。このような発明の態様による場合、第３端子の遮蔽部が端子群の配列方向である第１方向に交差する方向に延びている。この遮蔽部により、第１信号端子又は第２信号端子から第１方向に対して角度をもって放射される電磁波（電磁界エネルギー）を遮蔽することができる。よって、第３端子を挟んで隣り合う第１、第２信号端子間のクロストークの低減を図ることができる。遮蔽部が第３端子の一部が切り起こされた切り起こし片であるので、遮蔽部が別部品である場合に比べて、前記コネクタの部品点数の低減を図ることができる。
【００１０】
本発明の更に別のコネクタは、絶縁性を有するボディと、端子群とを備えている。前記端子群は、前記ボディに第１方向に一列で配列された一対の第１信号端子、第２信号端子及び第３端子を備えている。前記一対の第１信号端子は、前記第１方向において互いに隣り合っている。前記第３端子は前記一対の第１信号端子のうち一方の第１信号端子と前記第２信号端子との間に配置されている。前記第３端子は、前記第１方向に交差する方向に延びた遮蔽部を有している。前記遮蔽部は、前記第３端子の一部に連設され且つ当該第３端子の一部に対して折り曲げられた折り曲げ片とすることが可能である。このような発明の態様による場合、第３端子の遮蔽部が端子群の配列方向である第１方向に交差する方向に延びている。この遮蔽部により、第１信号端子又は第２信号端子から第１方向に対して角度をもって放射される電磁波（電磁界エネルギー）を遮蔽することができる。よって、第３端子を挟んで隣り合う第１、第２信号端子間のクロストークの低減を図ることができる。遮蔽部が第３端子の一部に連設された折り曲げ片であるので、遮蔽部が別部品である場合に比べて、前記コネクタの部品点数の低減を図ることができる。
【００１１】
前記第３端子は、前記第３端子の一部であり且つ前記第１方向に延びた拡張部と、前記拡張部以外の他の部分とを有する構成とすることが可能である。前記拡張部の前記第１方向の寸法は、前記他の部分の前記第１方向の寸法よりも大きい。
【００１２】
このような発明の態様による場合、遮蔽部は第１方向に延びた拡張部が切り起こされた切り起こし片又は折り曲げられた折り曲げ片であるので、遮蔽部の高さ寸法を大きくすることが可能になる。遮蔽部の高さ寸法が大きくなれば、前記クロストークの更なる低減を図ることができる。
【００１３】
前記第３端子の一部の中心線と当該第３端子の一部に隣り合う前記第１、第２信号端子の一部の中心線との間の前記第１方向の距離をβ、前記第１信号端子の一部の中心線間の前記第１方向の距離をαとしたとき、β＞αとすることが可能である。
【００１４】
このような発明の態様による場合、β＞αであるので、拡張部の第１方向の寸法を大きくし易くなる。遮蔽部は拡張部が切り起こされた切り起こし片又は折り曲げられた折り曲げ片であるので、第１方向の寸法が大きい拡張部から高さ寸法の大きな遮蔽部を得ることが可能になる。遮蔽部の高さ寸法が大きくなれば、前記クロストークの更なる低減を図ることができる。また、β＞αであるので、一枚の金属板をプレス成型することにより、第１、第２信号端子及び遮蔽部を有する第３端子を一度に作成し易くなる。よって、前記コネクタの低コスト化を図ることができる。
【００１５】
前記第１信号端子の前記第３端子の一部の周囲の部分が前記第１方向の一方側に、前記第２信号端子の前記第３端子の一部の周囲の部分が前記第１方向の他方側に湾曲する構成とすることが可能である。
【００１６】
このような発明の態様による場合、第１信号端子の前記第３端子の一部の周囲の部分が第１方向の一方側に、第２信号端子の第３端子の一部の周囲の部分が第１方向の他方側に湾曲しているので、第３端子の一部に設けられる遮蔽部の高さ寸法を大きくすることが可能になる。遮蔽部の高さ寸法が大きくなれば、前記クロストークの更なる低減を図ることができる。また、第１信号端子の前記第３端子の一部の周囲の部分が第１方向の一方側に、第２信号端子の第３端子の一部の周囲の部分が第１方向の他方側に湾曲しているので、一枚の金属板からプレス成型により、第１、第２信号端子及び遮蔽部を有する第３端子を一度に作成し易くなる。よって、前記コネクタの低コスト化を図ることができる。
【００１７】
上記コネクタにおいて、前記第１、第２信号端子の前記第１部は、前記第２方向に延びており且つ前記ボディに保持された保持部と、前記保持部の前記第２方向の第１端から前記第２方向に延びた接触部とを有する構成とすることが可能である。前記第１、第２信号端子の前記第２部は、前記保持部の前記第２方向の第２端から前記第３方向に延びた垂下部を有する構成とすることが可能である。前記第３端子の前記第１部は、前記第２方向に延びており且つ前記ボディに保持された保持部と、前記保持部の前記第２方向の第１端から前記第２方向に延びた接触部とを有する構成とすることが可能である。前記第３端子の前記第２部は、前記保持部の前記第２方向の第２端から前記第３方向に延びた垂下部を有する構成とすることが可能である。
上記別のコネクタ又は更に別のコネクタにおいて、前記第１、第２信号端子は、前記第１方向に直交する第２方向に延びており且つ前記ボディに保持された保持部と、前記保持部の前記第２方向の第１端から前記第２方向に延びた接触部と、前記保持部の前記第２方向の第２端から前記第１、第２方向に直交する第３方向に延びた垂下部とを有する構成とすることが可能である。前記第３端子は、前記第２方向に延びており且つ前記ボディに保持された保持部と、前記保持部の前記第２方向の第１端から前記第２方向に延びた接触部と、前記保持部の前記第２方向の第２端から前記第３方向に延びた垂下部とを更に有する構成とすることが可能である。前記第３端子の保持部及び垂下部の少なくとも一方が前記第３端子の一部を有する構成とすることが可能である。
【００１８】
前記第１信号端子の垂下部間の前記第１方向の距離をγ１、前記第１信号端子の保持部間の前記第１方向の距離をγ２、前記第３端子の垂下部と当該第３端子に隣り合う前記第１、第２信号端子の垂下部との間の前記第１方向の距離をδ１、前記第３端子の保持部と当該第３端子に隣り合う前記第１、第２信号端子の保持部との間の前記第１方向の距離をδ２としたとき、δ１＞γ１及びδ２＞γ２の少なくとも一方とすることが可能である。このような発明の態様による場合、δ１＞γ１及び／又はδ２＞γ２であるので、第１信号端子又は第２信号端子から第１方向に対して角度をもって放射される電磁波（電磁界エネルギー）の第２信号端子又は第１信号端子に対する干渉を低減することができる。よって、第３端子を挟んで隣り合う第１、第２信号端子間のクロストークの更なる低減を図ることができる。
【図面の簡単な説明】
【００２２】
【図１Ａ】図１Ａは、本発明の実施例１に係るコネクタの正面、底面及び右側面を表した概略的斜視図である。
【図１Ｂ】図１Ｂは、前記コネクタの背面、底面及び右側面を表した概略的斜視図である。
【図２Ａ】図２Ａは、前記コネクタの図１Ｂ中の２Ａ−２Ａ断面図である。
【図２Ｂ】図２Ｂは、前記コネクタの図１Ｂ中の２Ｂ−２Ｂ断面図である。
【図２Ｃ】図２Ｃは、前記コネクタの図１Ａ中の２Ｃ−２Ｃ断面図である。
【図３Ａ】図３Ａは、前記コネクタのボディ本体と第１、第２端子群との正面、平面及び右側面を表した概略的斜視図である。
【図３Ｂ】図３Ｂは、前記コネクタのボディ本体と第１、第２端子群との背面、底面及び左側面を表した概略的斜視図である。
【図３Ｃ】図３Ｃは、前記コネクタのボディ本体と第１端子群との背面、底面及び左側面を表した概略的斜視図である。
【図４Ａ】図４Ａは、前記コネクタのボディ本体の正面、底面及び右側面を表した概略的斜視図である。
【図４Ｂ】図４Ｂは、前記コネクタのボディ本体の正面、平面及び右側面を表した概略的斜視図である。
【図４Ｃ】図４Ｃは、前記コネクタのボディ本体の背面、平面及び左側面を表した概略的斜視図である。
【図５】図５は、前記コネクタのカバーの正面、平面及び右側面を表した概略的斜視図である。
【図６Ａ】図６Ａは、前記コネクタの第１端子群の正面、平面及び右側面を表した概略的斜視図である。
【図６Ｂ】図６Ｂは、前記コネクタの第１端子群の背面、平面及び左側面を表した概略的斜視図である。
【図７Ａ】図７Ａは、前記コネクタの第２端子群の正面、平面及び右側面を表した概略的斜視図である。
【図７Ｂ】図７Ｂは、前記コネクタの第２端子群の概略的正面図である。
【図８Ａ】図８Ａは、前記コネクタのシールドケースの正面、平面及び右側面を表した概略的斜視図である。
【図８Ｂ】図８Ｂは、前記コネクタのシールドケースの図８Ａ中の８Ｂ−８Ｂ断面斜視図である。
【図９Ａ】図９Ａは、前記第２端子群のグランド端子の遮蔽部の第１設計変更例を示す模式的断面図である。
【図９Ｂ】図９Ｂは、前記遮蔽部の第２設計変更例を示す模式的断面図である。
【図１０Ａ】図１０Ａは、前記遮蔽部の第３設計変更例を示す模式的断面図である。
【図１０Ｂ】図１０Ａは、前記遮蔽部の第４設計変更例を示す模式的断面図である。
【図１０Ｃ】図１０Ａは、前記遮蔽部の第５設計変更例を示す模式的断面図である。
【図１１Ａ】図１１Ａは、本発明の実施の形態に係る信号線路の構造の模式的平面図である。
【図１１Ｂ】図１１Ａは、前記信号線路の構造の模式的正面図である。
【発明を実施するための形態】
【００２３】
以下、本発明の実施例１に係るコネクタついて図１Ａ〜図８Ｂを参照しつつ説明する。
【実施例１】
【００２４】
図１Ａ〜図２Ｃに示すコネクタは、図示しない基板に接続可能なＤＩＰタイプのレセプタクルコネクタであって、図示しないプラグコネクタが第２方向Ｙから接続可能となっている。前記コネクタは、ボディ１００と、第１端子群Ｔ１と、第２端子群Ｔ２（特許請求の範囲の端子群に相当）と、シールドケース３００とを備えている。以下、前記コネクタの各構成要素について詳しく説明する。なお、図１Ａ〜図３Ａにおいて、前記コネクタの幅方向であり且つ第２端子群Ｔ２の配列方向である第１方向をＸ、前記コネクタの長さ方向であり且つプラグコネクタの接続方向である第２方向をＹ、前記コネクタの高さ方向である第３方向をＺとして示している。第２方向Ｙは第１方向Ｘに直交しており、第３方向Ｚは第１、第２方向Ｘ、Ｙに直交している。
【００２５】
ボディ１００は、図２Ａ及び図２Ｂに示すように、絶縁樹脂製のボディ本体１００ａ及びカバー１００ｂを有している。ボディ本体１００ａは、図３Ａ〜図４Cに示すように、ベース１１０ａと、一対の側壁１２０ａと、底壁１３０ａと、第１、第２凸部１４０ａ、１５０ａとを有している。
【００２６】
ベース１１０ａは略直方体状のブロックである。ベース１１０ａは、第１方向Ｘの第１、第２面（両端面）と、第２方向Ｙの第３、第４面（前面、後面）と、第３方向Ｚの第５、第６面（上面、下面）を有している。ベース１１０ａの第１、第２面には、一対の係止凹部１１１ａが設けられている。この係止凹部１１１ａの底面には、係止突部１１２ａが設けられている。ベース１１０ａの第３面の第１方向Ｘの両端には一対の側壁１２０ａが設けられ、第２方向Ｙに延びている。各側壁１２０ａには、係止凹部１１１ａに連通する横孔１２１ａが設けられている。ベース１１０ａの第３面の中央部には、角柱状の第１凸部１４０ａが設けられ、第２方向Ｙに延びている。ベース１１０ａの第３面の第１凸部１４０ａの下側（第３方向Ｚの他方側）には、平板状の底壁１３０ａが設けられ、第２方向Ｙに延びている。底壁１３０ａ及び側壁１２０ａが、プラグコネクタが挿入可能な接続穴１６０ａを区画している。ベース１１０ａの第３面の第１凸部１４０ａの上側（第３方向Ｚの一方側）には、平板状の第２凸部１５０ａが設けられ、第２方向Ｙに延びている。第２凸部１５０ａは側壁１２０ａの間に位置している。
【００２７】
ベース１１０ａの第４面の中央部には、図４Ｃに示すように矩形状の第１収容凹部１１３ａが設けられている。このベース１１０ａの第４面の第１収容凹部１１３ａの下側部分には、矩形状の第２収容凹部１１４ａが第１収容凹部１１３ａに連通するように設けられている。第２収容凹部１１４ａの深さ寸法は、第１収容凹部１１３ａの深さ寸法よりも大きい。第２収容凹部１１４ａの底面には、一対の第１収容孔１１５ａが第１方向Ｘに間隔をあけて設けられている。第１収容孔１１５ａは、第２収容凹部１１４ａの底面からベース１１０ａの第３面にかけて貫通している。第１収容凹部１１３ａの底面には一対の第２収容孔１１６ａが第１収容孔１１５ａと同じ間隔をあけて設けられている。第２収容孔１１６ａは、第１収容凹部１１３ａの底面からベース１１０ａの第３面にかけて貫通している。
【００２８】
ベース１１０ａの第４面の第２収容凹部１１４ａの下側には、第３方向Ｚに延びた一対の第３収容凹部１１７ａが設けられている。第３収容凹部１１７ａは、下側が開放され、上側が第２収容凹部１１４ａに連通している。ベース１１０ａの第４面の第１収容凹部１１３ａの上側には、５つの第３収容孔１１８ａが第１方向Ｘに間隔をあけて設けられている。この第３収容孔１１８ａは、ベース１１０ａの第３面から第４面にかけて貫通している。
【００２９】
底壁１３０ａは、図４Ａに示すように、第３方向Ｚの第１、第２面（上面、下面）を有している。底壁１３０ａの第２面はベース１１０ａの第６面と面一となっている。底壁１３０ａの第２面及びベース１１０ａの第６面の第１方向Ｘの両端には、一対の係止溝１７０ａが設けられている。この係止溝１７０ａは第２方向Ｙに延びており且つ第２方向Ｙの一方側（前側）が開口している。
【００３０】
第１凸部１４０ａは、図４Ａ及び図４Ｂに示すように、第３方向Ｚの第１、第２面（上面、下面）を有している。第１凸部１４０ａの第２、第１面には、一対の第１、第２収容溝１４１ａ、１４２ａがベース１１０ａの第１、第２収容孔１１５ａ、１１６ａと同じ間隔をあけて設けられている。第１収容溝１４１ａはベース１１０ａの第１収容孔１１５ａに、第２収容溝１４２ａはベース１１０ａの第２収容孔１１６ａに連通している（図２Ｂ及び図２Ｃ参照）。第２凸部１５０ａは、図４Ａ及び図４Ｂに示すように、第３方向Ｚの第１、第２面（上面、下面）を有している。第２凸部１５０ａの第２面には、５つの第３収容溝１５１ａがベース１１０ａの第３収容孔１１８ａと同じ間隔をあけて設けられている。第３収容溝１５１ａは、ベース１１０ａの第３収容孔１１８ａに連通している（図２Ａ及び図２Ｂ参照）。
【００３１】
カバー１００ｂは、図５に示すように、カバー本体１１０ｂと、一対の係止アーム１２０ｂとを有している。カバー本体１１０ｂは、ボディ本体１００ａのベース１１０ａの第４面及び当該第４面に沿って配置された第２端子群Ｔ２の後述する垂下部２１３ｂ、２２３ｂ、２３３ｂ、２４３ｂ、２５３ｂを覆うことが可能な板である（図２Ｃ参照）。カバー本体１１０ｂの第１方向Ｘの両端には、係止アーム１２０ｂが設けられ、第２方向Ｙに延びている。各係止アーム１２０ｂは略Ｕ字状であって、係止孔１２１ｂを有している。係止アーム１２０ｂがボディ本体１００ａの係止凹部１１１ａに挿入され、係止突部１１２ａが係止孔１２１ｂに係止可能となっている。
【００３２】
第１端子群Ｔ１は、図６Ａ及び図６Ｂに示すように、一対の端子２１０ａ、２２０ａを有している。端子２１０ａは、導電性を有する下向き略Ｌ字状の金属板である。端子２２０ａは、外形が端子２１０ａの外形よりも大きい導電性を有する下向き略Ｌ字状の金属板である。端子２１０ａは、一列でボディ本体１００ａに第１方向Ｘに間隔をあけて配列されている。端子２２０ａは、ボディ本体１００ａの端子２１０ａの上側に一列で第１方向Ｘに間隔をあけて配列されている。
【００３３】
端子２１０ａは、保持部２１１ａと、接触部２１２ａと、垂下部２１３ａと、テール部２１４ａとを有している。保持部２１１ａは矩形状の板であって、第１方向Ｘの両端に係止片が設けられている。保持部２１１ａの前記係止片を含む第１方向Ｘの寸法は、ボディ本体１００ａの第１収容孔１１５ａの第１方向Ｘの寸法よりも若干大きい。保持部２１１ａがボディ本体１００ａの第１収容孔１１５ａに圧入可能となっている。接触部２１２ａは、保持部２１１ａの第２方向Ｙの一端（第１端）に連続し且つ当該第２方向Ｙに延びた矩形状の板であって、下り傾斜している。接触部２１２ａの先端部には、下側に凸のＶ字部が設けられている。接触部２１２ａはボディ本体１００ａの第１収容溝１４１ａに収容可能となっている。接触部２１２ａのＶ字部は、接触部２１２ａが第１収容溝１４１ａに収容された状態で、第１収容溝１４１ａから下方に突出可能である。
【００３４】
垂下部２１３ａは、保持部２１１ａの第２方向Ｙの他端（第２端）に連続し且つ当該保持部２１１ａに対して略直角に折り曲げられた矩形状の板であって、第３方向Ｚに延びている。垂下部２１３ａの第１方向Ｘの両端には係止片が設けられている。垂下部２１３ａの前記係止片を含む第１方向Ｘの寸法は、ボディ本体１００ａの第３収容凹部１１７ａの第１方向Ｘの寸法よりも若干大きい。垂下部２１３ａがボディ本体１００ａの第３収容凹部１１７ａに圧入可能となっている。テール部２１４ａは、垂下部２１３ａに連続し、第３方向Ｚに延びた矩形状の板である。テール部２１４ａは、垂下部２１３ａがボディ本体１００ａの第３収容凹部１１７ａに圧入保持された状態で、第３収容凹部１１７ａから下方に突出する。これにより、テール部２１４ａが上記基板のスルーホール電極に接続可能になっている。
【００３５】
端子２２０ａは、保持部２２１ａと、接触部２２２ａと、垂下部２２３ａと、テール部２２４ａとを有している。保持部２２１ａは矩形状の板であって、第１方向Ｘの両端に係止片が設けられている。保持部２２１ａの前記係止片を含む第１方向Ｘの寸法は、ボディ本体１００ａの第２収容孔１１６ａの第１方向Ｘの寸法よりも若干大きい。保持部２２１ａがボディ本体１００ａの第２収容孔１１６ａに圧入可能となっている。接触部２２２ａは、保持部２２１ａの第２方向Ｙの一端（第１端）に連続し且つ当該第２方向Ｙに延びた矩形状の板であって、上り傾斜している。接触部２２２ａの先端部には、上側に凸のＶ字部が設けられている。接触部２２２ａはボディ本体１００ａの第２収容溝１４２ａに収容可能となっている。接触部２２２ａのＶ字部は、接触部２２２ａが第２収容溝１４２ａに収容された状態で、第２収容溝１４２ａから上方に突出可能である。
【００３６】
垂下部２２３ａは、保持部２２１ａの第２方向Ｙの他端（第２端）に連続し且つ当該保持部２２１ａに対して略直角に折り曲げられた矩形状の板であって、第３方向Ｚに延びている。垂下部２２３ａの第１方向Ｘの両端には係止片が設けられている。垂下部２２３ａの前記係止片を含む第１方向Ｘの寸法は、ボディ本体１００ａの第３収容凹部１１７ａの第１方向Ｘの寸法よりも若干大きい。垂下部２２３ａがボディ本体１００ａの第３収容凹部１１７ａに圧入可能となっている。テール部２２４ａは、垂下部２２３ａに連続し、第３方向Ｚに延びた矩形状の板である。テール部２２４ａは、垂下部２２３ａがボディ本体１００ａの第３収容凹部１１７ａに圧入された状態で、第３収容凹部１１７ａから下方に突出する。これにより、テール部２２４ａが上記基板のスルーホール電極に接続可能となっている。
【００３７】
第２端子群Ｔ２は、図７Ａ及び図７Ｂに示すように、ボディ本体１００ａに第１方向Ｘに一列で配列可能な一対の差動信号端子２１０ｂ、２２０ｂ（第１信号端子）、一対の差動信号端子２３０ｂ、２４０ｂ（第２信号端子）及びグランド端子２５０ｂ（第３端子）を有している。差動信号端子２１０ｂ、２２０ｂは、第１方向Ｘにおいて互いに隣り合う導電性を有する下向き略Ｌ字状の金属板であって、数十ＭＨｚ〜数ＧＨｚの差動信号を伝送可能となっている。差動信号端子２３０ｂ、２４０ｂは、第１方向Ｘにおいて互いに隣り合う導電性を有する下向き略Ｌ字状の金属板であって、数十ＭＨｚ〜数ＧＨｚの差動信号を伝送可能となっている。グランド端子２５０ｂは、差動信号端子２２０ｂと差動信号端子２４０ｂとの間に配置可能な導電性を有する下向き略Ｌ字状の金属板である。
【００３８】
差動信号端子２１０ｂ、２２０ｂは、保持部２１１ｂ、２２１ｂと、接触部２１２ｂ、２２２ｂと、垂下部２１３ｂ、２２３ｂと、テール部２１４ｂ、２２４ｂとを有している。保持部２１１ｂは略矩形状の板であって、第１方向Ｘの両端に係止片が設けられている。保持部２１１ｂの前記係止片を含む第１方向Ｘの寸法は、当該保持部２１１ｂに対応するボディ本体１００ａの第３収容孔１１８ａの第１方向Ｘの寸法よりも若干大きい。保持部２１１ｂが、対応する第３収容孔１１８ａに圧入可能となっている。保持部２２１ｂは、第１方向Ｘの寸法が保持部２１１ｂの第１方向Ｘの寸法よりも小さい点で保持部２１１ｂと相違する以外、保持部２１１ｂと同じ構成である。よって、保持部２２１ｂの説明は省略する。
【００３９】
接触部２１２ｂは、保持部２１１ｂの第２方向Ｙの一端（第１端）に連続し且つ当該第２方向Ｙに延びた矩形状の板である。接触部２１２ｂの第１方向Ｘの寸法は、保持部２１１ｂの第１方向Ｘの寸法よりも小さく且つ接触部２１２ｂに対応するボディ本体１００ａの第３収容溝１５１ａの第１方向Ｘの寸法より若干小さい。接触部２１２ｂの先端部には、上方に傾斜した当接部が設けられている。接触部２１２ｂは対応する第３収容溝１５１ａに収容可能となっている。接触部２１２ｂが対応する第３収容溝１５１ａに収容された状態で、接触部２１２ｂの当接部が第３収容溝１５１ａの第２方向Ｙの一方側の縁に係止され、接触部２１２ｂの下面が第３収容溝１５１ａから下方に露出する。接触部２２２ｂは、第１方向Ｘの寸法が保持部２２１ｂの第１方向Ｘの寸法と同じである点で接触部２１２ｂと相違する以外、接触部２１２ｂと同じ構成である。よって、接触部２２２ｂの説明は省略する。
【００４０】
垂下部２１３ｂは、保持部２１１ｂの第２方向Ｙの他端（第２端）に連続し且つ当該保持部２１１ｂに対して略直角に折り曲げられた板であって、第３方向Ｚに延びている。垂下部２１３ｂの第３方向Ｚの一方側の端部（グランド端子２５０ｂの後述する拡張部２５３ｂ１の周囲の部分）が、第１方向Ｘの一方側に湾曲している。垂下部２２３ｂは、保持部２２１ｂの第２方向Ｙの他端に連続し且つ当該保持部２２１ｂに対して略直角に折り曲げられた板であって、第３方向Ｚに延びている。垂下部２２３ｂの第３方向Ｚの一方側の端部及び第３方向Ｚの他方側の端部（グランド端子２５０ｂの後述する拡張部２５３ｂ１の周囲の部分）が、第１方向Ｘの一方側に湾曲している。垂下部２１３ｂ、２２３ｂは、保持部２１１ｂ、２２１ｂが、第３収容孔１１８ａに圧入保持された状態で、ボディ本体１００ａの第４面に沿って配置可能となっている（図２Ｃ及び図３Ｂ参照）。
【００４１】
テール部２１４ｂ、２２４ｂは、垂下部２１３ｂ、２１４ｂに連続し第３方向Ｚに直線状に延びた矩形状の板である。テール部２１４ｂ、２２４ｂは、保持部２１１ｂ、２２１ｂが第３収容孔１１８ａに圧入保持された状態で、ボディ本体１００ａの第６面よりも下方に突出する。これにより、テール部２１４ｂ、２２４ｂが上記基板のスルーホール電極に接続可能となっている。
【００４２】
差動信号端子２３０ｂは差動信号端子２１０ｂの対称形状となっている。差動信号端子２４０ｂは差動信号端子２２０ｂの対称形状となっている。差動信号端子２３０ｂ、２４０ｂは、保持部２３１ｂ、２４１ｂと、接触部２３２ｂ、２４２ｂと、垂下部２３３ｂ、２４３ｂと、テール部２３４ｂ、２４４ｂとを有している。垂下部２３３ｂの第３方向Ｚの一方側の端部（グランド端子２５０ｂの後述する拡張部２５３ｂ１の周囲の部分）が、第１方向Ｘの他方側に湾曲している。垂下部２４３ｂの第３方向Ｚの一方側の端部及び第３方向Ｚの他方側の端部（グランド端子２５０ｂの後述する拡張部２５３ｂ１の周囲の部分）が、第１方向Ｘの他方側に湾曲している。これ以外の差動信号端子２３０ｂ、２４０ｂの各部の説明については、差動信号端子２１０ｂ、２２０ｂと重複するため、省略する。
【００４３】
グランド端子２５０ｂは、保持部２５１ｂと、接触部２５２ｂと、垂下部２５３ｂと、テール部２５４ｂとを有している。保持部２５１ｂ及び接触部２５２ｂは、保持部２２１ｂ及び接触部２２２ｂと同じ構成となっている。垂下部２５３ｂは、保持部２５１ｂの第２方向Ｙの他端（第２端）に連続し且つ当該保持部２５１ｂに対して略直角に折り曲げられた板であって、第３方向Ｚに延びている。垂下部２５３ｂは、第１方向Ｘに延びた略六角形状の拡張部２５３ｂ１を有している。拡張部２５３ｂ１の第１方向Ｘの寸法は、グランド端子２５０ｂの他の部分（保持部２５１ｂ、接触部２５２ｂ及びテール部２５４ｂ）の第１方向Ｘの寸法よりも大きい。拡張部２５３ｂ１の中間部には矩形状の開口が設けられている。拡張部２５３ｂ１の中間部の開口の第１方向Ｘの両縁部は、第２方向Ｙに観音開き状に開かれ、一対の遮蔽部２５３ｂ２となっている。すなわち、遮蔽部２５３ｂ２は、拡張部２５３ｂ１の中間部が切り上げられ、第２方向Ｙに直角（第１方向Ｘに直角に交差する方向）に延びた切り起こし片である。遮蔽部２５３ｂ２は、保持部２５１ｂがボディ本体１００ａの第３収容孔１１８ａに圧入保持された状態で、ボディ本体１００ａの第１収容凹部１１３ａ、第２収容凹部１１４ａ及び第３収容凹部１１７ａに挿入可能となっている（図２Ａ及び図２Ｃ参照）。
【００４４】
図７Ｂにおいて、差動信号端子２１０ｂ、２２０ｂ、差動信号端子２３０ｂ、２４０ｂ及びグランド端子２５０ｂの中心を通る中心線が破線で示されている。差動信号端子２１０ｂ、２２０ｂの垂下部２１３ｂ、２２３ｂの中心線間の距離及び差動信号端子２３０ｂ、２４０ｂの垂下部２３３ｂ、２４３ｂの中心線間の第１方向Ｘの距離が各々αとされている。グランド端子２５０ｂの垂下部２５３ｂの拡張部２５３ｂ１の中心線と差動信号端子２２０ｂの垂下部２２３ｂの中心線との間の第１方向Ｘの距離及びグランド端子２５０ｂの垂下部２５３ｂの拡張部２５３ｂ１の中心線と差動信号端子２４０ｂの垂下部２４３ｂの中心線との間の第１方向Ｘの距離が各々βとされている。β＞αに設定されている。これにより、拡張部２５３ｂ１の第１方向Ｘの寸法を大きくすることができる。遮蔽部２５３ｂ２は、拡張部２５３ｂ１の中間部が切り起こされた切り起こし片であるので、拡張部２５３ｂ１から高さ寸法（第２方向Ｙの寸法）の大きな遮蔽部２５３ｂ２を得ることができる。遮蔽部２５３ｂ２の高さ寸法は、グランド端子２５０ｂの板厚の２倍以上であることが好ましい。
【００４５】
図７Ｂにおいて、差動信号端子２１０ｂ、２２０ｂの垂下部２１３ｂ、２２３ｂ間の距離及び差動信号端子２３０ｂ、２４０ｂの垂下部２３３ｂ、２４３ｂ間の第１方向Ｘの距離が各々γ１とされている。グランド端子２５０ｂの垂下部２５３ｂと差動信号端子２２０ｂの垂下部２２３ｂとの間の第１方向Ｘの距離及びグランド端子２５０ｂの垂下部２５３ｂと差動信号端子２４０ｂの垂下部２４３ｂとの間の第１方向Ｘの距離が各々δ１とされている。δ１＞γ１に設定されている。これにより、差動信号端子２２０ｂの垂下部２２３ｂ又は差動信号端子２４０ｂの垂下部２４３ｂから第１方向Ｘに対して角度をもって放射される電磁波（電磁界エネルギー）が差動信号端子２４０ｂの垂下部２４３ｂ又は差動信号端子２２０ｂの垂下部２２３ｂに対して干渉し難くしている。
【００４６】
図７Ｂにおいて、差動信号端子２１０ｂの保持部２１１ｂ及び接触部２１２ｂと差動信号端子２２０ｂの保持部２２１ｂ及び接触部２２２ｂとの間の第１方向Ｘの距離がε１として示されている。差動信号端子２３０ｂの保持部２３１ｂ及び接触部２３２ｂと差動信号端子２４０ｂの保持部２４１ｂ及び接触部２４２ｂとの間の第１方向Ｘの距離がε２として示されている。グランド端子２５０ｂの保持部２５１ｂ及び接触部２５２ｂと差動信号端子２２０ｂの保持部２２１ｂ及び接触部２２２ｂとの間の第１方向Ｘの距離がε３として示されている。グランド端子２５０ｂの保持部２５１ｂ及び接触部２５２ｂと差動信号端子２４０ｂの保持部２４１ｂ及び接触部２４２ｂとの間の第１方向Ｘの距離がε４として示されている。ε１＝ε２＝ε３＝ε４に設定されている。
【００４７】
テール部２５４ｂは、垂下部２５３ｂに連続し第３方向Ｚに直線状に延びた矩形状の板である。テール部２５４ｂは、保持部２５１ｂが第３収容孔１１８ａに圧入保持された状態で、ボディ本体１００ａの第６面よりも下方に突出する。これにより、テール部２５４ｂが上記基板のスルーホール電極に接続され、グランド接続可能となっている。
【００４８】
シールドケース３００は、図８Ａ及び図８Ｂに示すように、ボディ１００を収容可能な導電性を有する金属板で構成された角箱である。シールドケース３００は、天板３１０と、一対の側板３２０と、前板３３０と、一対の拡張板３４０と、後板３５０と、４つの係止片３６０と、一対の係止脚３７０と、支持板３８０とを有している。
【００４９】
天板３１０は矩形状の板であって、ボディ本体１００ａのベース１１０ａの第５面に当接可能になっている（図２Ａ及び図２Ｂ参照）。天板３１０の中央部には、下方に凸であり且つベース１１０ａの第３面に当接可能な突起３１１が設けられている。側板３２０は、天板３１０の第１方向Ｘの両端に設けられ且つ当該天板３１０に対して直角に折り曲げられた矩形状の板である。側板３２０は、ベース１１０ａの第１、第２面及びベース１１０ａに係止されたカバー１００ｂの係止アーム１２０ｂに当接可能となっている（図２Ｃ参照）。
【００５０】
前板３３０は、天板３１０の第２方向Ｙの一端に設けられ且つ当該天板３１０に対して直角に折り曲げられた矩形状の板である。前板３３０には、ボディ１００の接続穴１６０ａを外部に露出させるための開口３３１が設けられている。後板３５０は、後板本体３５１と、一対のタブ３５２とを有している。後板本体３５１は、天板３１０の第２方向Ｙの他端に設けられ且つ当該天板３１０に対して直角に折り曲げられた矩形状の板である。後板本体３５１は、カバー１００ｂのカバー本体１１０ｂを覆うことが可能である。タブ３５２は、後板本体３５１の第１方向Ｘの両端に設けられ、当該後板本体３５１に対して直角に折り曲げられている。このタブ３５２が側板３２０の外面に当接し係合される。
【００５１】
拡張板３４０は、係止板３４１と、保持アーム３４２とを有している。係止板３４１は、前板３３０の第１方向Ｘの両端に設けられ且つ前板３３０に対して直角に折り曲げられた矩形状の板である。係止板３４１は側板３２０の内面に当接し且つ係合されている。保持アーム３４２は、係止板３４１の第２方向Ｙの他端に設けられ、第１方向Ｘの内側に折り返されている。保持アーム３４２は、シールドケース３００にボディ１００が収容された状態で、ボディ１００の横孔１２１ａから接続穴１６０ａ内に挿入される。保持アーム３４２の間の第１方向Ｘの距離は、上記プラグコネクタの第１方向Ｘの寸法よりも小さい。よって、保持アーム３４２は、ボディ本体１００ａの接続穴１６０ａに挿入されたプラグコネクタを弾性的に当接可能になっている。
【００５２】
係止片３６０は、側板３２０の下端に２つずつ第２方向Ｙに間隔をあけて設けられている。この係止片３６０は、内側に略Ｕ字状に湾曲している。係止片３６０の先端部がボディ本体１００ａの係止溝１７０ａに係止可能となっている。係止脚３７０は、側板３２０の下端の係止片３６０の間に設けられている。係止脚３７０は、上記基板の係止孔に挿入され、グランド接続可能となっている。支持板３８０は、前板３３０の第３方向Ｚの他方側の端に設けられ且つ当該前板３３０に対して直角に折り曲げられた矩形状の板である。支持板３８０は、ボディ本体１００ａの底壁１３０ａに当接可能となっている。
【００５３】
以下、上記レセプタクルコネクタの組み立て手順について説明する。まず、絶縁樹脂を射出成型することにより作成されたボディ本体１００ａを用意する。その一方で、導電性を有する金属板がプレス成型されることにより形成された端子２１０ａを用意する。その後、端子２１０ａの接触部２１２ａ及び保持部２１１ａをボディ本体１００ａの第１収容孔１１５ａに各々挿入する。このとき、端子２１０ａの保持部２１１ａがボディ本体１００ａの第１収容孔１１５ａに各々圧入され、保持される。端子２１０ａの接触部２１２ａはボディ本体１００ａの第１収容溝１４１ａに各々収容され、接触部２１２ａのＶ字部は第１収容溝１４１ａから下方に各々突出する。端子２１０ａの垂下部２１３ａはボディ本体１００ａの第３収容凹部１１７ａに各々圧入され、保持される。テール部２１４ａはボディ本体１００ａの第３収容凹部１１７ａから下方に各々突出する。このようにして２つの端子２１０ａがボディ本体１００ａに一列で配列される。
【００５４】
その後、導電性を有する金属板がプレス成型されることにより形成された端子２２０ａを用意する。その後、端子２２０ａの接触部２２２ａ及び保持部２２１ａをボディ本体１００ａの第２収容孔１１６ａに各々挿入する。このとき、端子２２０ａの保持部２２１ａはボディ本体１００ａの第２収容孔１１６ａに各々圧入され、保持される。端子２２０ａの接触部２２２ａはボディ本体１００ａの第２収容溝１４２ａに各々収容され、接触部２２２ａのＶ字部が第２収容溝１４２ａから上方に各々突出する。端子２２０ａの垂下部２２３ａはボディ本体１００ａの第３収容凹部１１７ａの垂下部２１３ａの後側に各々圧入され、保持される。テール部２２４ａはボディ本体１００ａの第３収容凹部１１７ａから下方に各々突出する。このようにして２つの端子２２０ａが端子２１０ａの上側でボディ本体１００ａに一列で配列される。
【００５５】
その後、導電性を有する一枚の金属板がプレス成型されることにより形成された差動信号端子２１０ｂ、２２０ｂ、差動信号端子２３０ｂ、２４０ｂ及びグランド端子２５０ｂを用意する。その後、差動信号端子２１０ｂの接触部２１２ｂ及び保持部２１１ｂをボディ本体１００ａの第３収容孔１１８ａに挿入する。このとき、差動信号端子２１０ｂの保持部２１１ｂはボディ本体１００ａの第３収容孔１１８ａに圧入され、保持される。差動信号端子２１０ｂの接触部２１２ｂはボディ本体１００ａの第３収容溝１５１ａに収容され、接触部２１２ｂの当接部が第３収容溝１５１ａの第２方向Ｙの一方側の縁に係止されると共に、接触部２１２ｂの下面が第３収容溝１５１ａから下方に露出する。差動信号端子２１０ｂの垂下部２１３ｂはボディ本体１００ａの第４面に沿って配置される。テール部２１４ｂはボディ本体１００ａの第６面より下方に突出する。同様に、差動信号端子２２０ｂ及び差動信号端子２３０ｂ、２４０ｂをボディ本体１００ａに取り付ける。
【００５６】
その後、グランド端子２５０ｂの接触部２５２ｂ及び保持部２５１ｂをボディ本体１００ａの第３収容孔１１８ａに挿入する。このとき、グランド端子２５０ｂの保持部２５１ｂはボディ本体１００ａの第３収容孔１１８ａに圧入され、保持される。グランド端子２５０ｂの接触部２５２ｂはボディ本体１００ａの第３収容溝１５１ａに収容され、接触部２５２ｂの当接部が第３収容溝１５１ａの第２方向Ｙの一方側の縁に係止されると共に、接触部２５２ｂの下面が第３収容溝１５１ａから下方に露出する。グランド端子２５０ｂの垂下部２５３ｂはボディ本体１００ａの第４面に沿って配置され、垂下部２５３ｂの遮蔽部２５３ｂ２がボディ本体１００ａの第１収容凹部１１３ａ、第２収容凹部１１４ａ及び第３収容凹部１１７ａに挿入される。テール部２５４ｂはボディ本体１００ａの第６面より下方に突出する。なお、差動信号端子２１０ｂ、２２０ｂ、差動信号端子２３０ｂ、２４０ｂ及びグランド端子２５０ｂをボディ本体１００ａに取り付ける順番は順不同であり、また、同時に取り付けることも可能である。
【００５７】
その後、絶縁樹脂を射出成型することにより作成されたカバー１００ｂを用意する。その後、カバー１００ｂの係止アーム１２０ｂをボディ本体１００ａの係止凹部１１１ａに挿入し、ボディ本体１００ａの係止突部１１２ａを係止アーム１２０ｂの係止孔１２１ｂに係止させる。すると、カバー１００ｂのカバー本体１１０ｂがボディ本体１００ａのベース１１０ａの第４面及び垂下部２１３ｂ、２２３ｂ、２３３ｂ、２４３ｂ、２５３ｂを覆う。これにより、ボディ本体１００ａにカバー１００ｂが取り付けられ、ボディ１００となる。
【００５８】
その後、導電性を有する一枚の金属板がプレス成型されることにより形成されたシールドケース３００を用意する。このシールドケース３００は、後板３５０の後板本体３５１が天板３１０に対して折り曲げられておらず、タブ３５２も折り曲げられていない。その後、ボディ１００をシールドケース３００に後方から挿入する。このとき、ボディ１００の係止溝１７０ａにシールドケース３００の係止片３６０の先端部が挿入され、案内される。その後、シールドケース３００の突起３１１がボディ１００のベース１１０ａの第３面に当接する。これにより、ボディ１００の接続穴１６０ａがシールドケース３００の開口３３１に連通する。このとき、シールドケース３００の保持アーム３４２がボディ１００の横孔１２１ａからボディ１００の接続穴１６０ａ内に挿入される。
【００５９】
その後、後板３５０の後板本体３５１を天板３１０に対して直角に折り曲げる。これにより、後板本体３５１がボディ１００のカバー１００ｂに当接し、当該カバー１００ｂを覆う。その後、タブ３５２を後板本体３５１に対して直角に折り曲げ、側板３２０に係合させる。
【００６０】
以上のようなレセプタクルコネクタによる場合、グランド端子２５０ｂの拡張部２５３ｂ１の遮蔽部２５３ｂ２が第２方向Ｙに延びている。この遮蔽部２５３ｂ２により、差動信号端子２１０ｂ、２２０ｂの垂下部２１３ｂ、２２３ｂ又は差動信号端子２３０ｂ、２４０ｂの垂下部２３３ｂ、２４３ｂから第１方向Ｘに対して角度をもって放射される電磁波（電磁界エネルギー）を遮蔽することができる。よって、グランド端子２５０ｂを挟んで隣り合う差動信号端子２２０ｂと差動信号端子２４０ｂとの間及び／又は差動ペアの差動信号端子２１０ｂ、２２０ｂと、差動ペアの差動信号端子２３０ｂ、２４０ｂとの間のクロストークの低減を図ることができる。
【００６１】
しかも、β＞αである。また、垂下部２１３ｂの第３方向Ｚの一方側の端部が第１方向Ｘの一方側に湾曲し、垂下部２２３ｂの第３方向Ｚの一方側の端部及び第３方向Ｚの他方側の端部が第１方向Ｘの一方側に湾曲している。垂下部２３３ｂの第３方向Ｚの一方側の端部が、第１方向Ｘの他方側に湾曲し、垂下部２４３ｂの第３方向Ｚの一方側の端部及び第３方向Ｚの他方側の端部が、第１方向Ｘの他方側に湾曲している。よって、拡張部２５３ｂ１の第１方向Ｘの寸法が大きくなっている。遮蔽部２５３ｂ２は拡張部２５３ｂ１の中間部が切り起こされた切り起こし片であるので、第１方向Ｘの寸法が大きい拡張部２５３ｂ１から高さ寸法の大きな遮蔽部２５３ｂ２を得ることができる。遮蔽部２５３ｂ２の高さ寸法が大きいと、上記電磁波（電磁界エネルギー）を遮蔽する効率が上昇し、上記クロストークの更なる低減を図ることができる。また、β＞αであるので、一枚の金属板をプレス成型することにより、差動信号端子２１０ｂ、２２０ｂ、差動信号端子２３０ｂ、２４０ｂ及びグランド端子２５０ｂを一度に作成することができる。よって、前記コネクタの低コスト化を図ることができる。
【００６２】
なお、上述したコネクタは、上記実施例に限定されるものではなく、特許請求の範囲の記載範囲において任意に設計変更することが可能である。以下、詳しく述べる。
【００６３】
上記実施例１では、コネクタは、第１、第２端子群Ｔ１、Ｔ２を備えているとしたが、少なくとも下記第２端子群（段落００６４参照）を備えていれば良い。
【００６４】
上記実施例１では、第２端子群Ｔ２は、第１方向Ｘに一列で配列可能な一対の差動信号端子２１０ｂ、２２０ｂ、一対の差動信号端子２３０ｂ、２４０ｂ及びグランド端子２５０ｂ（第３端子）を有するとした。しかし、第２端子群は、第１方向に一列で配列された一対の第１信号端子、第２信号端子及び第３端子を少なくとも有している限り任意に設計変更することが可能である。
【００６５】
上記実施例１では、第１信号端子は、一対の下向き略Ｌ字状の差動信号端子であるとしたが、第１方向において互いに隣り合うものである限り任意に設計変更することが可能である。例えば、第１信号端子は、差動信号以外の信号を伝送する端子として用いることが可能である。また、第１信号端子は、直線状の金属板とすることが可能である。上記実施例１では、第２信号端子は、一対の下向き略Ｌ字状の差動信号端子であるとしたが、これに限定されるものではない。例えば、第２信号端子は、シングルエンド用の信号端子とすることが可能である。すなわち、第２信号端子は少なくとも一本あれば良い。また、第２信号端子は、直線状の金属板とすることが可能である。
【００６６】
上記実施例１では、第３端子は、差動信号端子２２０ｂ、２４０ｂの間に配置される下向き略Ｌ字状のグランド端子２５０ｂであるとした。しかし、第３端子は、一対の第１信号端子のうち一方の第１信号端子と第２信号端子との間に配置されており且つ第１方向に交差する方向に延びた遮蔽部を有する限り任意に設計変更することが可能である。例えば、前記第３端子としては、差動信号端子間に配置される電源端子等の擬似的にグランド端子として機能し得るものを用いることが可能である。また、第３端子も、直線状の金属板とすることが可能である。
【００６７】
上記実施例１では、保持部２１１ｂ〜２５１ｂは、ボディ１００の第３収容孔１１８ａに圧入可能な矩形状の板であるとした。しかし、第１、第２信号端子及び第３端子の保持部は、第２方向に延びており且つ下記ボディ（段落００７９参照）に保持され得るものである限り任意に設計変更することが可能である。接触部２１２ｂ〜２５２ｂは、保持部２１１ｂ〜２５１ｂの第２方向Ｙの一端に連続し且つ当該第２方向Ｙに延びた矩形状の板であって、第３収容溝１５１ａに収容可能であるとした。しかし、第１、第２信号端子及び第３端子の接触部は、保持部の前記第２方向の第１端から前記第２方向に延びている限り任意に設計変更することが可能である。
【００６８】
上記実施例１では、垂下部２１３ｂ〜２５３ｂは、保持部２１１ｂ〜２５１ｂの第２方向Ｙの他端に連続し且つ当該保持部２１１ｂ〜２５１ｂに対して略直角に折り曲げられた板であって、第３方向Ｚに延びているとした。しかし、第１、第２信号端子及び第３端子の垂下部は、保持部の第２方向の第２端から第３方向に延びている限り任意に設計変更することが可能である。上記実施例１では、テール部２１４ａ〜２５４ａは、垂下部２１３ｂ〜２５３ｂに連続し第３方向Ｚに直線状に延びた矩形状の板であって、基板のスルーホール電極に接続可能であるとした。しかし、第１、第２信号端子及び第３端子のテール部は、垂下部に連設されている限り任意に設計変更することが可能である。例えば、第１、第２信号端子及び第３端子のテール部は、垂下部に対して略直角に折り曲げられ、基板表面の電極に接続可能な態様とすることができる。
【００６９】
上記実施例１では、遮蔽部２５３ｂ２は、グランド端子２５０ｂの垂下部２５３ｂの拡張部２５３ｂ１の中間部の開口の両縁部が切り起こされた切り起こし片であるとした。しかし、遮蔽部は、上記第３端子の一部に設けられ、上記第２端子群の配列方向である第１方向に交差する方向に延びるものである限り任意に設計変更することが可能である。
【００７０】
例えば、図９Ａに示すように、遮蔽部２５３ｂ２は、拡張部２５３ｂ１の中間部の開口の両縁部のうちの一方が切り起こされた切り起こし片とすることが可能である。また、図９Ｂに示すように、拡張部２５３ｂ１の中間部の開口の両縁部のうちの一方が第２方向Ｙの一方側に切り起こされた切り起こし片を遮蔽部２５３ｂ２とし、他方が第２方向Ｙの他方側に切り起こされた切り起こし片を遮蔽部２５３ｂ２’とすることができる。
【００７１】
図１０Ａに示すように、遮蔽部２５３ｂ２’’は、拡張部２５３ｂ１’’の第１方向Ｘの一端部に連設され、第２方向に延びた折り曲げ片とすることが可能である。また、図１０Ｂに示すように、遮蔽部２５３ｂ２’’’は、拡張部２５３ｂ１’’’の第１方向Ｘの両端部に連設され、第２方向に延びた折り曲げ片とすることが可能である。図１０Ｃに示すように、拡張部２５３ｂ１’’’’の第１方向Ｘの一端部に連設され、第２方向Ｙの一方側に折り曲げられた折り曲げ片を遮蔽部２５３ｂ２’’’’とし、拡張部２５３ｂ１’’’’の第１方向Ｘの他端部に連設され、第２方向Ｙの他方側に折り曲げられた折り曲げ片を遮蔽部２５３ｂ２’’’’’とすることができる。
【００７２】
また、第１、第２信号端子及び第３端子が第１方向の寸法が大きい場合、遮蔽部は、拡張部ではなく、第３端子の一部を切り起こした片部材又は折り曲げた片部材とすることが可能である。また、別体の遮蔽部が、第３端子に半田付けや溶接などで取り付けられる態様とすることが可能である。更に、上述した遮蔽部は、保持部及び垂下部に設けられた態様とすることが可能であり、また、保持部のみに設けられた態様とすることが可能である。遮蔽部が保持部に設けられている場合、遮蔽部は、第１方向に交差する第３方向に延びている。なお、遮蔽部の高さ寸法は、グランド端子の板厚の２倍以上に限定されるものではなく、２倍未満とすることが可能である。
【００７３】
上記実施例１では、拡張部２５３ｂ１は垂下部２５３ｂに設けられているとした。しかし、拡張部は省略することが可能である。また、拡張部は、第３端子の一部に設けられ、第１方向に延びており且つ遮蔽部が設けられ得る限り任意に設計変更することが可能である。
【００７４】
上記実施例１では、グランド端子２５０ｂの垂下部２５３ｂの拡張部２５３ｂ１の中心線と差動信号端子２２０ｂの垂下部２２３ｂの中心線との間の第１方向Ｘの距離及びグランド端子２５０ｂの垂下部２５３ｂの拡張部２５３ｂ１の中心線と差動信号端子２４０ｂの垂下部２４３ｂの中心線との間の第１方向Ｘの距離βが、差動信号端子２１０ｂ、２２０ｂの垂下部２１３ｂ、２２３ｂの中心線間の距離及び差動信号端子２３０ｂ、２４０ｂの垂下部２３３ｂ、２４３ｂの中心線間の第１方向Ｘの距離αよりも大きく設定されているとした。しかし、前記距離は任意に設計変更することが可能である。
【００７５】
例えば、前述の通り第３端子が拡張部を有していない態様である場合又は第１、第２信号端子及び第３端子が、個別の金属板がプレス成型されることによって作成される場合、β＝α又はβ＜αとすることが可能である。
【００７６】
なお、上記βは、第３端子の一部の中心線と当該第３端子の一部に隣り合う第１、第２信号端子の一部の中心線との間の第１方向の距離である限り任意に設定することが可能である。上記αは、第１信号端子の一部の中心線間の第１方向の距離である限り任意に設定することが可能である。例えば、前記第３端子の一部が保持部である場合、保持部の中心線と第１、第２信号端子の保持部の中心線との間の第１方向の距離βが、第１信号端子の保持部の中心線間の第１方向の距離αより大きく設定することができる。
【００７７】
上記実施例１では、垂下部２１３ｂの第３方向Ｚの一方側の端部が第１方向Ｘの一方側に湾曲し、垂下部２２３ｂの第３方向Ｚの一方側の端部及び第３方向Ｚの他方側の端部が第１方向Ｘの一方側に湾曲し、垂下部２３３ｂの第３方向Ｚの一方側の端部が第１方向Ｘの他方側に湾曲し、及び、垂下部２４３ｂの第３方向Ｚの一方側の端部及び第３方向Ｚの他方側の端部が第１方向Ｘの他方側に湾曲しているとした。しかし、これに限定されるものではない。
【００７８】
例えば、前述の通り第３端子が拡張部を有していない態様である場合又は第１、第２信号端子及び第３端子が、個別の金属板がプレス成型されることによって作成される場合、第１、第２信号端子は湾曲させなくても良い。また、遮蔽部が設けられる第３端子の一部に応じて、第１、第２信号端子の周囲の部分を第１方向に湾曲させることができる。すなわち、第１、第２信号端子の湾曲させる部分は、垂下部に限定されない。
【００７９】
上記実施例１では、グランド端子２５０ｂの垂下部２５３ｂと差動信号端子２２０ｂの垂下部２２３ｂとの間の第１方向Ｘの距離及びグランド端子２５０ｂの垂下部２５３ｂと差動信号端子２４０ｂの垂下部２４３ｂとの間の第１方向Ｘの距離δ１が、差動信号端子２１０ｂ、２２０ｂの垂下部２１３ｂ、２２３ｂ間の距離及び差動信号端子２３０ｂ、２４０ｂの垂下部２３３ｂ、２４３ｂ間の第１方向Ｘの距離γ１よりも大きく設定されているとした。しかし、これに限定されるものではない。例えば、δ１＞γ１に代えて、δ２＞γ２に設計変更することが可能である。また、δ１＞γ１及びδ２＞γ２に設計変更することが可能である。なお、δ２は、グランド端子２５０ｂの保持部２５１ｂと差動信号端子２２０ｂの保持部２２１ｂとの間の第１方向Ｘの距離及びグランド端子２５０ｂの保持部２５１ｂと差動信号端子２４０ｂの保持部２４１ｂとの間の第１方向Ｘの距離である。γ２は差動信号端子２１０ｂ、２２０ｂの保持部２１１ｂ、２２１ｂ間の距離及び差動信号端子２３０ｂ、２４０ｂの保持部２３１ｂ、２４１ｂ間の第１方向Ｘの距離である。
【００８０】
上記実施例１では、ボディ１００は、ボディ本体１００ａと、カバー１００ｂとを有するとした。しかし、ボディは、一対の第１信号端子、第２信号端子及び第３端子が一列で配列し得る限り任意に設計変更することが可能である。例えば、一対の第１信号端子、第２信号端子及び第３端子をボディにインサート成型することにより、一列で配列する態様とすることが可能である。
【００８１】
上記実施例１では、シールドケース３００は、ボディ１００を収容可能な導電性を有する金属板で構成された角箱であるとした。しかし、シールドケースは、上記ボディを収容し得るものである限り任意に設計変更することが可能である。
【００８２】
なお、上記実施例１では、コネクタの各部を構成する素材、形状、寸法、数及び配置等はその一例を説明したものであって、同様の機能を実現し得る限り任意に設計変更することが可能である。上記実施例１では、本発明はレセプタクルコネクタであるとしたが、プラグコネクタにも適応可能である。
【００８３】
また、本発明は、コネクタに限定されるものではなく、信号線路の構造にも適応可能である。この場合、上述した第１端子が第１信号線路に相当し、上述した第２信号端子が第２信号線路に相当し、上述した第３端子が第３線路に相当する。例えば、図１１Ａ及び図１１Ｂに示すように、一対の第１差動信号線路１１、一対の第２差動信号線路１２及びＧＮＤ線路１３（第３線路）が基板２０の表面上又は内部に第１方向Ｘに一列で設けられている。この場合、一対の第１差動信号線路１１は第１方向Ｘにおいて互いに隣り合っている。一対の第２差動信号線路１２も第１方向Ｘにおいて互いに隣り合っている。ＧＮＤ線路１３は内側の第１差動信号線路１１と内側の第２差動信号線路１２との間に配置されている。ＧＮＤ線路１３の一部には第１方向Ｘに交差する方向に延びる遮蔽部１３ａが設けられている。この遮蔽部１３ａについても、上述したコネクタの遮蔽部と同様の態様とすることが可能である（図７Ａ、図７Ｂ及び図９Ａ〜図１０Ｃ参照）。
【符号の説明】
【００８４】
１００・・・・・ボディ
１００ａ・・・ボディ本体
１００ｂ・・・カバー
Ｔ１・・・・・・第１端子群
２１０ａ・・・端子
２２０ａ・・・端子
Ｔ２・・・・・・第２端子群
２１０ｂ・・・差動信号端子（第１信号端子）
２１１ｂ・・保持部
２１２ｂ・・接触部
２１３ｂ・・垂下部
２１４ｂ・・テール部
２２０ｂ・・・差動信号端子（第１信号端子）
２２１ｂ・・保持部
２２２ｂ・・接触部
２２３ｂ・・垂下部
２２４ｂ・・テール部
２３０ｂ・・・差動信号端子（第２信号端子）
２３１ｂ・・保持部
２３２ｂ・・接触部
２３３ｂ・・垂下部
２３４ｂ・・テール部
２４０ｂ・・・差動信号端子（第２信号端子）
２４１ｂ・・保持部
２４２ｂ・・接触部
２４３ｂ・・垂下部
２４４ｂ・・テール部
２５０ｂ・・・グランド端子（第３端子）
２５１ｂ・・保持部
２５２ｂ・・接触部
２５３ｂ・・垂下部
２５３ｂ１・拡張部
２５３ｂ２・遮蔽部
２５４ｂ・・テール部
３００・・・・シールドケース
Ｘ・・第１方向
Ｙ・・第２方向
Ｚ・・第３方向
【図１Ａ】
0005756688.tif 000002
【図１Ｂ】
0005756688.tif 000003
【図２Ａ】
0005756688.tif 000004
【図２Ｂ】
0005756688.tif 000005
【図２Ｃ】
0005756688.tif 000006
【図３Ａ】
0005756688.tif 000007
【図３Ｂ】
0005756688.tif 000008
【図３Ｃ】
0005756688.tif 000009
【図４Ａ】
0005756688.tif 000010
【図４Ｂ】
0005756688.tif 000011
【図４Ｃ】
0005756688.tif 000012
【図５】
0005756688.tif 000013
【図６Ａ】
0005756688.tif 000014
【図６Ｂ】
0005756688.tif 000015
【図７Ａ】
0005756688.tif 000016
【図７Ｂ】
0005756688.tif 000017
【図８Ａ】
0005756688.tif 000018
【図８Ｂ】
0005756688.tif 000019
【図９Ａ】
0005756688.tif 000020
【図９Ｂ】
0005756688.tif 000021
【図１０Ａ】
0005756688.tif 000022
【図１０Ｂ】
0005756688.tif 000023
【図１０Ｃ】
0005756688.tif 000024
【図１１Ａ】
0005756688.tif 000025
【図１１Ｂ】
0005756688.tif 000026